(57)【要約】【課題】簡単な図形を用いて、コインパーキングの空き状況等を表示する駐車場表示装置を提供する。【課題を解決するための手段】コインパーキング１における空き状況等を表示する駐車場表示装置４において、駐車場表示装置４の表示板７には、コインパーキング１の空き状況や開閉状況に応じて区分され、区分ごとに取り決めた発光色のＬＥＤ１０、１１、１２、１３によって表示される。表示は「○、△、×、−」の簡単な図形を用い、ＬＥＤ１０、１１、１２、１３は、区分ごとの形状に合わせて実装、配置される。【選択図】図２
2020042382.tif 000002
【特許請求の範囲】
【請求項１】
コインパーキングにおける空状況または／および開閉状況を表示する駐車場表示装置において、コインパーキングの状況に応じて区分して表示され、該表示は簡単な図形から構成されることを特徴とする駐車場表示装置。
【請求項２】
前記駐車場表示装置の前記表示は、ＬＥＤ（発光ダイオード）を用いる請求項１に記載の駐車場表示装置。
【請求項３】
前記ＬＥＤによる前記表示は、前記区分ごとに取り決めた発光色のＬＥＤを用いて表示される請求項２に記載の駐車場表示装置。
【請求項４】
前記ＬＥＤによる前記表示は、白色ＬＥＤを用いて表示される請求項２に記載の駐車場表示装置。
【請求項５】
前記表示に用いられる前記ＬＥＤは、前記区分ごとの形状に合わせて配置される請求項２乃至請求項４に記載の駐車場表示装置。
【請求項６】
前記ＬＥＤによる前記表示は、前記コインパーキングに空きがあるときは、○を表示し、混雑しているときは、△を表示し、満車のときは、×を表示し、前記コインパーキングが閉鎖されているときは−を用いて行う請求項１乃至請求項５に記載の駐車場表示装置。
【請求項７】
前記ＬＥＤによる前記○の表示は、緑色または青色、前記△の表示は、アンバーまたは黄色、前記×は赤色に発光するＬＥＤ、前記−は、赤色ＬＥＤ若しくは白色ＬＥＤを用いる請求項１乃至３、請求項５または請求項６に記載の駐車場表示装置。
【発明の詳細な説明】
【技術分野】
【０００１】
本発明は、コインパーキングにおける空状況等を表示する駐車場表示装置に関するものである。
【背景技術】
【０００２】
従来、街頭のコインパーキングは、空スペースがある場合には、その駐車場表示装置に「空」（若しくは「空車」）の表示を行い、空スペースが無く満車の場合には、「満」（若しくは「満車」）の表示を行っている。
【０００３】
駐車場表示装置の表示方法には、図３に示すように、「空車」２０および「満車」２１の表示パネル２３の内部に図示しない蛍光灯などの照明装置を設置し、該当する側を光らせる方式や、図４に示すように、ＬＥＤ１４を発光源とし、縦と横にドット状に配置されたＬＥＤ１４を空きスペースの有無により、漢字の「空」（図４（ａ））や「満」（図４（ｂ））に表示させる方式がある。
【先行技術文献】
【特許文献】
【０００４】
【特許文献１】特開平４−４７５００号公報
【特許文献２】特開２０１８−１０４８９７号公報
【発明の概要】
【発明が解決しようとする課題】
【０００５】
しかしながら、国際化する日本の現状において、外国人観光客や外国人労働者は、年々増加しており、多くの外国人が車を運転し、そして、コインパーキングを探す機会は、今後大幅に増加することは確実である。上記漢字による表示の場合、その意味を瞬時に理解でるのは、日本人と中国人位であり、その他の国の外国人にとっては、漢字を理解することは非常に難しい。
【０００６】
一方、「空」を緑色ＬＥＤにより、「満」を赤色ＬＥＤによって表示している場合は、漢字の意味は分からなくても、表示の意味を直感的に認識することは可能であるが、地域によっては、景観条例により、赤色や緑色の表示が好ましくないとされる場合がある。この場合は、例えば、白色による単色表示をすることになるが、この場合には、直感的な認識はできない。
【課題を解決するための手段】
【０００７】
上記課題を解決するために請求項１の本発明は、コインパーキングにおける空状況または／および開閉状況を表示する駐車場表示装置において、コインパーキングの状況に応じて区分して表示され、表示は簡単な図形から構成されることを特徴とする駐車場表示装置である。ここで、「コインパーキング」とは、不特定多数の利用者が空いている車室に駐車し、利用した時間分の料金を支払う駐車場をいう。
【０００８】
また、「簡単な図形」とは、文化・言語・国籍の違い、老若男女といった差異、障害・能力の如何を問わずに利用できる情報として認識できる図形を意味する。
【０００９】
請求項１の本発明では、コインパーキングの空状況または／および開閉状況を表示する駐車場表示装置において、コインパーキングの状況に応じて表示を区分するとともに、表示は簡単な図形から構成されるので、外国人においても、コインパーキングにおける空状況等を容易に認識することができる。
【００１０】
請求項２の本発明は、駐車場表示装置の表示は、ＬＥＤ（発光ダイオード）を用いる駐車場表示装置である。請求項２の本発明では、駐車場表示装置の表示は、ＬＥＤ（発光ダイオード）を用いるので、発光ダイオードは消費電力が少なく、寿命も長いため、メンテナンス等が容易である。
【００１１】
請求項３の本発明は、ＬＥＤによる表示は、区分ごとに取り決めた発光色のＬＥＤを用いて表示される駐車場表示装置である。請求項３の本発明では、ＬＥＤによる表示は、区分ごとに取り決めた発光色のＬＥＤを用いて表示されるので、コインパーキングの状況の認識の程度が増加する。
【００１２】
請求項４の本発明は、ＬＥＤによる表示は、白色ＬＥＤを用いて表示される駐車場表示装置である。請求項４の本発明は、ＬＥＤによる表示は、白色ＬＥＤを用いて表示されるので、ＬＥＤのメリットを生かしつつ、景観条例により、赤色や緑色の表示が好ましくないとされる場合にも対応することができる。
【００１３】
請求項５の本発明は、表示に用いられるＬＥＤは、区分ごとの形状に合わせて配置される駐車場表示装置である。請求項５の本発明では、表示に用いられるＬＥＤは、区分ごとの形状に合わせて配置されるので、ドットマトリクスを用いて行う表示に比較して、認識の程度が増加する。ここで、「区分ごとの形状に合わせる」とは、例えば、形状が○（円）の場合には、ＬＥＤは、円周上に実装・配置されることをいう。
【００１４】
請求項６の本発明は、ＬＥＤによる表示は、コインパーキングに空きがあるときは、○を表示し、混雑しているときは、△を表示し、満車のときは、×を表示し、コインパーキングが閉鎖されているときは−を用いて行う駐車場表示装置である。
【００１５】
請求項６の本発明では、ＬＥＤによる表示は、コインパーキングに空きがあるときは、「○」を表示し、混雑しているときは、「△」を表示し、満車のときは、「×」を表示し、コインパーキングが閉鎖されているときは「−」を用いて行うので、コインパーキングに駐車することが可能か否かを文化・言語・国籍の違い、老若男女といった差異、障害・能力の如何を問わずに利用できる情報として認識することができる。
【００１６】
また、漢字を表示する場合に比較して、使用するＬＥＤの数を大幅に削減することができるので、消費電力の削減（省エネルギー）につながる。
【００１７】
請求項７の本発明は、ＬＥＤによる○の表示は、緑色または青色、△の表示は、アンバーまたは黄色、×は赤色に発光するＬＥＤ、−は、赤色ＬＥＤ若しくは白色ＬＥＤを用いる駐車場表示装置である。
【００１８】
この表示に用いられる緑色または青色は、心理的効果として、安心・安全（駐車可能）を認識させ、「×」および「−」の表示に用いられる赤色は、「危険」（駐車不可能）を認識させるとともに他の色と比較して非常に遠くからも良く見える。また、「△」の表示に用いられるアンバーまたは黄色は、赤同様「危険」を感じさせる色として認識させるが、信号における「注意」としても認識される。
【００１９】
さらに、「×」と「−」を異なる発光色とする場合はは、４つの表示全てを異なる発光色で表示するので、コインパーキングの空き状況等の認識の程度が増加する。
【００２０】
ここで、各色の発光波長については、青色は、４３５ｎｍ〜４８０ｎｍ、緑色は、５００ｎｍ〜５６０ｎｍ、黄色は、５８０ｎｍ〜５９５ｎｍ、アンバーは、５９５ｎｍ〜６１０ｎｍ、赤は、６１０ｎｍ〜７５０ｎｍである。
【発明の効果】
【００２１】
本発明では、コインパーキングの空状況を表示する駐車場表示装置において、コインパーキングの空き程度等に応じて表示を区分するとともに、表示は簡単な図形から構成されるので、外国人においても、コインパーキングにおける空状況を容易に認識することができる。
【００２２】
そして、「○、△、×、−」の表示によってコインパーキングの空状況等を表示するので、文化・言語・国籍の違い、老若男女といった差異、障害・能力の如何を問わずに利用できる情報として認識することができる。この表示は、世界共通表示として使用することが可能である。
【００２３】
また、漢字を表示する場合に比較して、使用するＬＥＤの数を大幅に削減することができるので、消費電力の削減（省エネルギー）につながる。
【００２４】
さらに、従来の漢字を用いて表示する場合は、１６×１６のドットマトリクスを基本として駐車場表示装置のサイズが決定されるが、本発明では、簡単な図形によって表示できるので、駐車場表示装置そのもののサイズを小さくすることもできる。
【００２５】
加えて、近年においては、ＡＤＡＳ（Ａｄｖａｎｃｅｄ  Ｄｒｉｖｅｒ  Ａｓｓｉｎｔａｎｃｅ  Ｓｙｓｔｅｍ）による速度標識の検知も可能になっている。表示を「○、△、×、−」と極めて簡単な図形化を行うことで、ＡＤＡＳによる検知が可能になり、運転者が空きコインパーキングを探し、前方不注意による事故の防止にもつながる。
【図面の簡単な説明】
【００２６】
【図１】本発明の実施形態に係る、コインパーキングの平面図である。
【図２】本発明の第１の実施形態に係る、駐車場表示装置の表示板のＬＥＤを配置する正面図であり、（ａ）は○、（ｂ）は×、（ｃ）は△、（ｄ）は×である。
【図３】従来の駐車場表示装置の表示板の正面図である（特許文献１）。
【図４】従来のＬＥＤを用いた駐車場表示装置の表示板の正面図であり、（ａ）は、空きがある場合、（ｂ）は、満車である場合の表示である。
【発明を実施するための形態】
【００２７】
本発明の実施形態のコインパーキング１は、図１に示すように、多数（数台から十数台）の駐車スペース２と、駐車料金支払装置３と駐車場表示装置４を有している。また、コインパーキング１を使用するための説明や、注意事項を表示する案内板５を有し、夜間のコインパーキング１を照明する照明灯６も設置されている。駐車場表示装置４は、空状況等を利用者に表示・提供する。表示板７のサイズは、従来と同様に、縦、横が３２０ｍｍの正方形である。
【００２８】
本発明の第１の実施形態の駐車場表示装置４の表示形態を図２に基づいて説明する。本第１実施形態の駐車場表示装置４は、光源としてＬＥＤを使用し、表示を４区分「〇、△、×、−」（（ａ）〜（ｄ））として、１つの表示面上に上記４区分の表示を可能にしたものである。また、各区分の表示に使用するＬＥＤは、各区分の形状に合わせて配置されている。
【００２９】
コインパーキングに多くの空スペースがある状態では、駐車場表示装置４は、図２（ａ）に示すように、「○」の表示を行う。ＬＥＤは、発光のピーク波長が５３０ｎｍの緑色ＬＥＤ１０を使用し、緑色ＬＥＤ１０を二重形状に、外周側、内周側ともに２４個、計４８個配置した。
【００３０】
約２０％の空スペースとなり、混雑と判断する状態では、駐車場表示装置４は、図２（ｂ）に示すように、「△」の表示を行う。ＬＥＤは、発光のピーク波長が５９５ｎｍの黄色ＬＥＤ１１を使用し、黄色ＬＥＤ１１を二重形状に、外周側に２８個、内周側に１５個、計４３個配置した。なお、数台規模のコインパーキング１の場合は、この表示は省略しても良い。
【００３１】
空スペースがなく満車の状態では、駐車場表示装置４は、図２（ｃ）に示すように、「×」の表示を行う。ＬＥＤは、発光のピーク波長が６１５ｎｍの赤色ＬＥＤ１２を使用し、赤色ＬＥＤ１２を二重線のクロス形状に計４４個配置した。
【００３２】
コインパーキング１が閉鎖されている状態では、駐車場表示装置４は、図２（ｄ）に示すように、「−」の表示を行う。ＬＥＤは、白色ＬＥＤ１３を使用し、二重線形状に計２４個配置した。なお、ここで使用する白色ＬＥＤ１３は、青色または紫色若しくは紫外域に発光のピーク波長を有するＬＥＤチップと単数若しくは複数の蛍光体との組み合わせによるものである。なお、「−」の表示は、「×」の表示と同様に赤色ＬＥＤ１２を用いてもよい。
【００３３】
この結果、緑色ＬＥＤ１０、黄色ＬＥＤ１１、赤色ＬＥＤ１２および白色ＬＥＤ１３を図２に示すように配置して簡単な図形により表示することによってコインパーキング１の空状況等を表示するので、文化・言語・国籍の違い、老若男女といった差異、障害・能力の如何を問わずに利用できる情報として認識することができる。
【００３４】
また、従来の１６×１６のドットマトリクスを用いて漢字により表示する場合、例えば、「空」では１２０個、「満」では、１４４個、「混」では１０５個、「閉」では１４０個を必要とするので、使用するＬＥＤの数を５０％超大幅に削減することができる。
【００３５】
したがって、消費電力を大幅に削減することができるので、例えば、駐車場表示装置４の上にソーラーパネルを設置すれば、ソーラーシステムで稼働することも可能である。
【００３６】
本発明の第２の実施形態の駐車場表示装置４の表示形態は、「○」、「△」、「×」、「−」の表示すべてを白色ＬＥＤ１３により行うものである。使用した白色ＬＥＤ１３は、第１の実施形態において、「−」表示で使用したものと同様の青色または紫色若しくは紫外域に発光のピーク波長を有するＬＥＤチップと単数若しくは複数の蛍光体との組み合わせによるものである。
【００３７】
本発明の第２の実施形態の駐車場表示装置４の表示形態では、「○」、「△」、「×」、「−」の表示すべてを白色ＬＥＤ１３により表示することによってコインパーキング１の空状況等を表示できるので、景観条例により、赤色や緑色の表示が使用できない場合も、文化・言語・国籍の違い、老若男女といった差異、障害・能力の如何を問わずに利用できる情報として認識することができる。
【００３８】
また、従来の１６×１６のドットマトリクスを用いた漢字を使用したＬＥＤ表示では、漢字の「空」、「満」の場合は、１８６個、さらに、「混」、「閉」を加えた場合は、２３３個の白色ＬＥＤ１３を使用する必要があるが、本第２実施形態では、上記４区分を１色（白色ＬＥＤ１３）で表示するため、「○」、「×」の２区分では９２個の白色ＬＥＤ１３でよく、「△」、「−」を加えた４区分でも１５９個の白色ＬＥＤ１３でよい。したがって、第１実施形態と同様に、白色ＬＥＤ１３の数を大幅に削減することができる。
【００３９】
なお、本第２実施形態では、上記４区分を１色（白色ＬＥＤ１３）で表示するため、「○」、「△」、「×」、「−」の形状に合わせて白色ＬＥＤ１３を配置したときに、形状間で共通の位置が存在する。したがって、第１実施形態に使用したＬＥＤを白色ＬＥＤ１３に置き換えた上記の場合に比較してさらに削減することが可能である。
【００４０】
本発明の実施にあたっては、上記実施形態に限定されるものではなく、本発明の目的を逸脱しない限りにおいて種々の変更が可能である。
【００４１】
例えば、駐車場表示装置４に使用する緑色ＬＥＤ１０、黄色ＬＥＤ１１、赤色ＬＥＤ１２および白色ＬＥＤ１３の数は、上記の個数には限られず、駐車場表示装置４のサイズに合わせて変更することができる。また、上記表示の形態は、二重線を基本にされているが、それには限られず、表示ごとに変更してもよい。
【００４２】
例えば、表示が「△」のときに、あと何台駐車が可能かは、コインパーキング１を探す者にとって非常に関心があることがある。そこで、駐車場表示装置４に数字を表示するＬＥＤを加え、「△」の表示と駐車可能台数の数字を交互に表示するようにしても良い。なお、コインパーキング１における駐車可能台数の検知方法は、既存の方法を使用することができる。
【００４３】
例えば、表示板７に使用する緑色ＬＥＤ１０、黄色ＬＥＤ１１、赤色ＬＥＤ１２および白色ＬＥＤ１３の発光は、常時点灯（目に見えない速度で点滅させることを含む）させてもよいし、点滅させてもよい。駐車場表示装置４の表示を点滅させる場合には、利用者の注意を引くことができ、広告効果を大きくすることができる。
【符号の説明】
【００４４】
１  コインパーキング
２  駐車スペース
４  駐車場表示装置
１０  緑色ＬＥＤ
１１  黄色ＬＥＤ
１２  赤色ＬＥＤ
１３  白色ＬＥＤ
【図１】
2020042382.tif 000003
【図２】
2020042382.tif 000004
【図３】
2020042382.tif 000005
【図４】
2020042382.tif 000006